(57)【要約】      （修正有）【課題】本考案は使用済みの注射針に人間が刺される危険性を低減するため，保護蓋を重ねてかぶせて，注射針を回収する一回用安全注射器を提供する。【解決手段】注射器のシリンダーの上に円筒形保護蓋を組み入れ，保護蓋の後部には結合溝を持つ挟み込み固定部を形成して，挟み込み固定部は注射器の後部の取っ手に形成した挟み込み穴に分離可能に締結されて，注射針が固定されるシリンダー先端に上記円筒形保護蓋を固定する固定アダプターを締結固定して，円筒形保護蓋の内周面に固定アダプターを固定する前方および後方突起を形成して，注射器使用後にシリンダーの上に締結された円筒形保護蓋を注射針がある方向へ前進させて，円筒形保護蓋の内周面の前方および後方突起の間に固定アダプターを固定する時，注射針が円筒形保護蓋の内側で回収されるようにする。【選択図】図１
0003109494.tif 000002
【実用新案登録請求の範囲】
【請求項１】
シリンダーの外側に，スライド移動可能な円筒形状の保護蓋を備え，該保護蓋の後部に挟み込み固定部を上下に備え，該保護蓋の内周面には複数の前方突起と複数の後方突起とが形成され，前記挟み込み固定部の端部は，前記シリンダー後部に形成された取っ手と締結可能であり，注射針は固定アダプターが締められることによって固定される一回用安全注射器において：
前記シリンダーの外側に前記挟み込み固定部が，前記取っ手の内側に上下に形成された挟み込み穴に締結され，
前記シリンダーまたは前記保護蓋のうちいずれか一方を一方向に回転させることで，前記挟み込み穴に締結された前記保護蓋が締結解除されることを特徴とする，一回用安全注射器。
【請求項２】
前記挟み込み固定部には，弾性片が形成され，その弾性片と対向するように支持片が形成され，該支持片には締結溝が形成され，前記弾性片と支持片との間には切結溝が形成され，さらに前記シリンダーには，三角形ガイド突起が形成されることを特徴とする，請求項１に記載の一回用安全注射器。 
【請求項３】
前記弾性片と前記支持片との各々の端部には，傾斜面が形成されることを特徴とする，請求項１又は２に記載の一回用安全注射器。
【考案の詳細な説明】
【技術分野】
【０００１】
本考案は，使用済み注射器の注射針を保護蓋で覆い，注射針を回収する一回用安全注射器に関する。
【背景技術】
【０００２】
最近，肝炎やエイズ（ＨＩＶ）等のような接触性の病気が注射針によって第三者に感染するのを防止するため，または衛生上等の理由で，ほぼ全ての注射器は一度だけ使用して廃棄処分する一回用注射器が広く使用されている。
【０００３】
上記一回用注射器の注射針の先端部は非常に鋭く，その注射針の先端部分は尖っているため，使用前後を問わず常に細心な注意が必要である。
【０００４】
特に使用済み注射器の注射針には，患者の血痕が付着し，これに医師や看護士などの医療従事者，または第三者等の不注意により，その注射針に付着した血痕等が人間の皮膚を介して体内に侵入する事態が発生すれば，患者の病気が第三者に感染する恐れがある。
【０００５】
そこで，第三者等が注射針に不用意に刺される危険性を低減するために様々な注射器が開発されている。安全注射器に対する先行技術として，例えば，実用新案登録第２５４００２号で記載されている一回用安全注射器，実用新案登録第１９５３９０号，安全注射器の実用新案登録第１６６１２４号，実用新案登録第２４５０６５号などの注射器がある。
【考案の開示】
【考案が解決しようとする課題】
【０００６】
しかしながら，上記記載の一回用安全注射器の本体であるシリンダーの上に注射針を回収する円筒形状の保護蓋を移動前進させる時に，保護蓋の結合部を押すと締結状態を解除する構成となっているが，このような締結部位である挟み込み固定部を押す時に強く押したり，弱く押したりすると作動が円滑に行われな場合が多かった。
【０００７】
特に，手に手袋などを着用した場合には操作が容易でないため，上記結合部の締結状態を解除する際に，結合部に加える力を調整することが難しく，円滑に解除できない場合が極めて多かった。
【０００８】
本考案は，上記問題点に鑑みてなされたものであり，本考案の目的は，使用済み注射針に人間が刺される危険性を低減することが可能な一回用安全注射器を提供することである。
【課題を解決するための手段】
【０００９】
上記課題を解決するため，本発明の第１の観点によれば，シリンダーの外側に，スライド移動可能な円筒形状の保護蓋を備え，該保護蓋の後部に挟み込み固定部を上下に備え，該保護蓋の内周面には複数の前方突起と複数の後方突起とが形成され，前記挟み込み固定部の端部は，前記シリンダー後部に形成された取っ手と締結可能であり，注射針が固定アダプターが締められることによって固定される一回用安全注射器が提供される。上記一回用安全注射器は，シリンダーの外側に前記挟み込み固定部が，前記取っ手の内側に上下に形成された挟み込み穴に締結され，シリンダーまたは前記保護蓋のうちいずれか一方を一方向に回転させることで，挟み込み穴に締結された前記保護蓋が締結解除されることを特徴としている。
【００１０】
上記挟み込み固定部には，弾性片が形成され，その弾性片と対向するように支持片が形成され，該支持片には締結溝が形成され，弾性片と支持片との間には切結溝が形成され，さらにシリンダーには，三角形ガイド突起が形成されるように構成してもよい。また，上記弾性片と支持片との各々の端部には，傾斜面が形成されるように構成してもよい。
【考案の効果】
【００１１】
以上説明したように，本考案によれば，使用済み注射器の注射針を安全に効率よく回収することができるため，注射器の注射針に医療従事者や第三者が刺されることなどの損傷を受けないようにすることができる。
【考案を実施するための最良の形態】
【００１２】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１３】
まず，図１〜図４を参照しながら，本実施の形態に係る一回用注射器について説明する。図１に示すように，一回用注射器は，本体であるシリンダー１１の内側に押し棒１２を備えている。
【００１４】
注射器には，シリンダー１１の先端注射針固定部１３に注射針１５が一体的に固定される注射針一体型一回用注射器や，上記注射針固定部１３に注射針１５を使用時に結合する注射針分離および結合型一回用注射器などが存在する。
【００１５】
図３等に示すように，一回用注射器には，シリンダー１１に沿ってスライド移動可能な円筒形状の保護蓋３１（円筒形保護蓋３１）が備わり，また上記円筒形保護蓋３１の先端部外側には注射時に手のすべりを防止するためにすべり防止用丸止め３２が備わる。
【００１６】
上記円筒形保護蓋３１がスライド移動することで，図２に示すように，上記シリンダー１１全体が覆われる。図２に示すようにシリンダー１１が覆われた状態では，注射針１５が外部に現れているのが分かる。上記の状態でシリンダー１１に薬液を充填し，人体に注射が行われる。
【００１７】
円筒形保護蓋３１の後部には両側壁を切断する形で上下に挟み込み固定部３３が備わっている。また，図４等に示すように，内周面には複数個の前方突起３５および後方突起３６が備わっている。
【００１８】
また，上記円筒形保護蓋３１の押し棒１２方向の上部，下部に各々備わる挟み込み固定部３３の端部とシリンダー１１後部に形成された取っ手１７が締結されると，図２に示すように，本実施の形態にかかる円筒形保護蓋３１とシリンダー１１が締結された状態となる。
【００１９】
上記注射針固定部１３の上には掛止め（図示せず。）を持って，上記注射針固定部１３および掛止め（図示せず。）の上の内側に締結丸止め（図示せず。）および外側に４〜１０個の複数の弾性片（図示せず。）を持つ固定アダプター２１を締めることで注射針を固定することができる。
【００２０】
より具体的には，上記シリンダー１１の外側表面をスライド移動可能な円筒形保護蓋３１の後部に形成された挟み込み固定部３３が，シリンダー１１後方の取っ手１７の内側に形成された上下挟み込み穴１８で締結される。
【００２１】
シリンダー１１または円筒形保護蓋３１を時計回り左／右方向の一方向に回転させると，上下各々の挟み込み穴１８で円筒形保護蓋３１が締結された状態から，上下各々の挟み込み穴１８と円筒形保護蓋３１とが締結解除することができる。
【００２２】
より具体的には，図１に示す挟み込み固定部３３を拡大した図１の“Ａ”を参照すると，円筒形保護蓋３１の後部の挟み込み固定部３３には，弾性片３７と締結溝３９と，その締結溝３９を有する支持片３８とが備わる。
【００２３】
また，上記弾性片３７と支持片３８との間には切結溝４０が備わり，その切結溝４０は上下対称となるようにする。
【００２４】
また，シリンダー１１の表面には，図９に示すように，円筒形保護蓋３１に形成された挟み込み固定具３３をガイドする三角形ガイド突起１１−１を左右両側に備える。また，三角形ガイド突起１１−１の形状と相応するように，上記弾性片３７と締結片３８には先が尖るよう，傾斜面３７−１，傾斜面３８−１が形成される（図８，図１０参照）。
【００２５】
図１に示すように，押し棒１２の先端部に装着されるものは，ピストンパッキング２０である。
【００２６】
なお，注射針一体型一回用注射器は，およそ注射器本体内に充填可能な量が３ｃｃ未満である注射器が多く，注射針分離型一回用注射器は，上記３ｃｃよりも多く充填可能な中型／大型注射器で多く見受けられる。
【００２７】
また，注射針分離用一回用注射器は，注射器シリンダー先端である注射針固定部に注射針を装填し，注射針固定部を押すことで注射針を締結するか，注射針固定部に螺旋形状の締結部を形成し，これに注射針を回転させて，固定する回転式締結方式の一回用注射器が存在する。
【００２８】
なお，本実施の形態にかかる一回用安全注射器は，上記説明の注射針分離型一回用注射器または注射針一体型一回用注射器のいずれの場合にも適用可能である。
【００２９】
本実施の形態にかかる一回用安全注射器では，まず図２，図５に示すように，注射器シリンダー１１上に位置するように円筒形保護蓋３１を締めた後，円筒形保護蓋３１の上下挟み込み固定部３３を，シリンダー１１の後方に存在する取っ手１７の内側に形成されている挟み込み穴１８に締めて固定した後，注射針固定部１３の上に固定アダプター２１を締結固定する。図２に示すように，注射針１５が外部に露出しており，いつでも注射できる状態である。
【００３０】
次に，本実施の形態にかかる一回用安全注射器では，図２に示す状態から押し棒１２を引き（図５参照），注射器のシリンダー１１の内側に注射液を充填する。次に，押し棒１２を前進させて（図６参照），注射針１５を通して，患者に注射する。
【００３１】
次に，患者に注射した後，図３に示すように，シリンダー１１の外側の円筒形保護蓋３１を注射針１５の上に位置するよう前の方に移動させて，注射針１５の上部の位置で円筒形保護蓋３１を固定させ，使用済み注射器の注射針１５を回収するようにする。
【００３２】
本実施の形態にかかるシリンダー１１の先端部の注射針固定部１３に締結される固定アダプター２１には，内側に締結丸止めと注射針固定部１３の掛丸止め（図示せず。）とが噛み合うように締結されている。
【００３３】
また，固定アダプター２１は，図４〜図７に示すように，注射針固定部１３に固定された後，離脱または抜け出ることができないほど堅く締結固定する。このように，シリンダー１１の先端の注射針固定部１３に固定される固定アダプター２１は，例えば，４〜１０個の複数の弾性片（図示せず。）を備え，弾性片（図示せず。）の後方にはストッパー（図示せず。）が形成され，注射針固定部１３に締めて固定するようになる。
【００３４】
また，円筒形保護蓋３１は，シリンダー１１の上にスライド移動可能であり，円筒形保護蓋３１の後部には上下２個の挟み込み固定部３３を備える。また上下２個の挟み込み固定部３３の先には，シリンダー１１の後方の取っ手１７内側に形成される挟み込み穴１８に挟まれ，シリンダー１１と一体に結合され，シリンダー１１の表面に形成した三角形ガイド突起１１−１によって後方に移動（バック）する円筒形符号蓋３１の挟み込み固定部３３は容易にシリンダー１１の取っ手１７の挟み込み穴１８に締めて，固定される。
【００３５】
このように挟み込み穴１８に結合された挟み込み固定部３３は，円筒形保護蓋３１を回転させる場合，挟み込み固定部３３とシリンダー１１の取っ手１７の挟み込み穴１８との結合が解除され，挟み込み固定部３３を回転させながら，円筒形保護蓋３１を前注射針方向に押せば，円筒形保護蓋３１は注射針１５の上に前進移動するようになる。
【００３６】
すなわち，図１０に示すように，円筒形保護蓋３１の後部の挟み込み固定部３３を，弾性片３７と締結溝３９で構成される支持片３８を備えるようにして，上記弾性片３７と支持片３８の間に切結溝４０が備えられるよう挟み込み固定部３３を対称に形成して，円筒形保護蓋３１に力を加えて回転させる場合，図１１（ｂ）に示す矢印の方向に円筒形保護蓋３１を回転させると，弾性片３７が切結溝４０の方向に曲がると同時に支持片３８の締結溝３９に挟まれていたシリンダー１１の挟み込み穴１８との締結が解除され，図１１（ｃ）に示す水平方向の矢印のように，円筒形保護蓋３１がスライド移動できる。
【００３７】
注射針１５の方向に前進移動する円筒形保護蓋３１は，その内側の前方突起３５が固定アダプター２１の後方のストッパーにぶつかるまで前進させた後，若干の力を加えて，円筒形保護蓋３１を前へ押すようすれば，前方突起３５が固定アダプター２１の弾性片（図示せず。）を超えて，弾性片の前方端部が前方突起３５とぶつかるようになる。それと同時に後方突起３６は弾性片の後方のストッパー（図示せず。）にぶつかり，円筒形保護蓋３１は前後に動けない状態で固定できる。
【００３８】
すなわち，前に移動する円筒形保護蓋３１は，その内側に一定間隔で形成した前方突起３５および後方突起３６の間に固定アダプター２１を締結するまで前進移動してから止めて，固定する。このように，シリンダー１１に沿って注射針方向に移動する円筒形保護蓋３１は，注射器の先端である注射針固定部１３に締結固定する固定アダプター２１の弾性片が円筒形保護蓋３１の内周面の前方突起３５と後方突起３６の間に締結するまで移動し，固定される時，注射針１５は円筒形保護蓋３１の内側に収まるようになっている。したがって，円筒形保護蓋３１が使用済み注射器の注射針１５を保護し，人体を使用済み注射器の注射針１５が刺す等の事態を避けることができる。
【００３９】
このように，本実施の形態において，一回用安全注射器の本体であるシリンダー１１の上に，円筒形保護蓋３１を注射針１５の上に位置するところで前進させることによって円筒形保護蓋３１に若干の力を加えて，回転させると円筒形保護蓋３１とシリンダー１１との締結状態から簡単に分離される操作を容易に行うことができ，また手袋をした状態でも簡単に円筒形保護蓋をスライド移動できるようになる。
【００４０】
以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００４１】
本考案は，注射器などに適用可能である。
【図面の簡単な説明】
【００４２】
【図１】本実施の形態にかかる注射器の概略の一例を示す分解斜視図である。
【図２】本実施の形態にかかる注射器使用直前の斜視図である。
【図３】本実施の形態にかかる注射器使用後に保護蓋を前に前進させて，注射針が固定されたことを示す斜視図である。
【図４】本実施の形態にかかる注射器の分解断面図である。
【図５】本実施の形態にかかる注射器使用直前の断面図である。
【図６】本実施の形態にかかる注射器の使用後に保護蓋を前進移動させることを示した断面図である。
【図７】本実施の形態にかかる注射器の使用後に保護蓋を前進させて注射針を固定することを示す断面図である。
【図８】本実施の形態にかかる保護蓋の平断面図および縦断面図である。
【図９】本実施の形態にかかるシリンダー後方に保護蓋が三角形ガイド突起をシリンダー表面に形成したことを示す注射器組み立て状態の平面図である。
【図１０】本実施の形態にかかる円筒形保護蓋がシリンダーの取っ手の内側に形成した挟み込み穴に結合する過程を示した部分断面図である。
【図１１】本実施の形態にかかるシリンダーの挟み込み穴に結合される円筒形保護蓋が分離される工程を示す部分断面図である。
【符号の説明】
【００４３】
１１    シリンダー
１２    押し棒
１３    注射針固定部
１５    注射針
１７    取っ手
１８    上下挟み込み穴
２０    ピストンパッキング
２１    固定アダプター
３１    円筒形保護蓋
３２    すべり止め丸
３３    固定部
３５    前方突起
３６    後方突起
３７    弾性片
３８    支持片
３９    締結溝
４０    切結溝
１１−１    三角形ガイド突起
３７-１，３８-１    傾斜面
【図１】
0003109494.tif 000003
【図２】
0003109494.tif 000004
【図３】
0003109494.tif 000005
【図４】
0003109494.tif 000006
【図５】
0003109494.tif 000007
【図６】
0003109494.tif 000008
【図７】
0003109494.tif 000009
【図８】
0003109494.tif 000010
【図９】
0003109494.tif 000011
【図１０】
0003109494.tif 000012
【図１１】
0003109494.tif 000013